(57)【要約】【課題】モータ部をケースに収納して樹脂を注入することによりそのモータ部を保護する際に、樹脂がケースの外側に流出するのを防止するとともに、低コストで利便性の高いポンプを提供する。【解決手段】モータ部１０を収納するモータケース１１と、ポンプ部１４を内蔵するポンプケース１５と、モータ部１０とポンプ部１４を隔離する仕切板１６と、前記モータ部１０を保護するためにモータケース１１内に注入され硬化した樹脂１９とから構成され、仕切板１６とモータケース１１とを貫通する所定の数のねじ穴２７にねじ２８を配置し、仕切板１６の接合面２５に形成され対向するモータケース１１の接合面２９に圧着して接合部２４を密閉し前記樹脂１９の流出を防止する所定の高さと所定の幅をもった環状の凸起２６を設けるようにした。【選択図】図２
2006191723.tif 000002
【特許請求の範囲】
【請求項１】
モータ部を収納するモータケースと、液体を吸排する羽根車を備えたポンプ部を内蔵するポンプケースと、モータ部とポンプ部を隔離する仕切板と、前記モータ部を保護するためにモータケース内に注入されて硬化した樹脂とから構成され、仕切板とモータケースとを貫通する所定の数のねじ穴に仕切板とモータケースとを接合して固定するねじを配置し、仕切板の接合面およびモータケースの接合面のいずれかに形成され対向する接合面に圧着して接合面を密閉しモータケース内に注入された樹脂の流出を防止する所定の高さと所定の幅をもった環状の凸起を設けたポンプ。
【請求項２】
前記凸起は、ねじ穴から近い所定の範囲においては低い所定の高さに設定され、ねじ穴から遠い所定の範囲においては高い所定の高さに設定された請求項１に記載のポンプ。
【請求項３】
前記凸起が設けられていない仕切板の接合面またはモータケースの接合面であって、凸起が圧着するところに凸起の高さより浅い所定の深さと凸起の幅より狭い所定の幅をもった環状の溝を形成した請求項１または２に記載のポンプ。
【請求項４】
請求項１〜３のいずれか１項に記載のポンプを備えた液体供給装置。
【発明の詳細な説明】
【技術分野】
【０００１】
モータにより駆動され、液体を吸入して吐出するポンプおよび同ポンプを備えた液体供給装置に関する。
【背景技術】
【０００２】
ポンプにおいては、主として磁界を発生させるステータやそのステータを制御する制御部からなるモータ部と、ステータで発生された磁界により駆動され水等の液体を吸排する羽根車からなるポンプ部と、モータ部とポンプ部を隔離する仕切板とから構成される。
【０００３】
この中でモータ部はポンプ部からの漏水等による水の浸入や、ポンプの設置環境が高湿度が多いことによる腐食を防止するために、モータ部をケースに収納してそのケース内に樹脂を注入し、さらに注入された樹脂が硬化することでモータ部を保護している。
【０００４】
しかしながら、樹脂をケースに注入するときにケースと仕切板の接合面に隙間があると、注入された樹脂の一部が硬化する前にその隙間から流出してしまうことがあった。
【０００５】
その場合は流出した樹脂がケースの外側に付着してしまい、ケースが樹脂で汚れて外観不良の原因となったり、また付着した樹脂を除去するための作業を追加する必要があった。
【０００６】
よって樹脂の流出を防止するために、接合面にパッキンを設置したり接合面の外側をテープ等で塞ぐといった対策が必要になり、ポンプのコストアップにつながっていた。
【０００７】
このためケースの接合面にV字形状の凸起を設け、接合時にその凸起を過熱して溶融することで接合面を溶着して密閉するようにしたケースが提案されている（例えば特許文献１参照）。
【０００８】
上記のケースを用いると、ケースの接合時に接合面に設けられたV字形状の凸起を加熱により溶融させ、その溶融された凸起がケースの接合面の隙間を埋めてかつ接合面を溶着することで、パッキンやテープ等を用いることなくケースの接合面を密閉することができる。
【特許文献１】特開昭６１−６９１１２号公報
【発明の開示】
【発明が解決しようとする課題】
【０００９】
しかしながら前記従来技術の特許文献１に記載のケースでは、例えばモータ部が故障した際に、修理のためケースを取り外さなければならなくなっても、ケースと仕切板の接合面が溶着されているために容易に取り外すことが困難であった。
【００１０】
またケースを取り外すことができたとしても、取り外す際に溶着された接合面が破損したり、さらにはケースや仕切板までが破損してしまうことがあり、その場合はモータ部の修理が完了した後にケースや仕切板を交換しなければならず、利便性を欠くとともにランニングコストの増加につながっていた。
【００１１】
本発明はこのような従来の課題を解決するものであり、ケースの外側に樹脂が流出することがなく、かつケースの取り外しを容易に行うことができしかも取り外し後のケースや仕切板の再利用が可能なポンプを提供することを目的とする。
【課題を解決するための手段】
【００１２】
本発明は上記目的を達成するために、モータ部を収納するモータケースと、液体を吸排する羽根車を備えたポンプ部を内蔵するポンプケースと、モータ部とポンプ部を隔離する仕切板と、前記モータ部を保護するためにモータケース内に注入されて硬化した樹脂とから構成され、仕切板とモータケースとを貫通する所定の数のねじ穴に仕切板とモータケースとを接合して固定するねじを配置し、仕切板の接合面およびモータケースの接合面のいずれかに形成され対向する接合面に圧着して接合面を密閉しモータケース内に注入された樹脂の流出を防止する所定の高さと所定の幅をもった環状の凸起を設けたことを特徴としている。
【００１３】
この構成により仕切板の接合面またはモータケースの接合面に設けられた環状の凸起を、その凸起が対向する接合面に圧着することで、仕切板とモータケースの接合面を密閉できるという作用が達成できる。
【発明の効果】
【００１４】
本発明はモータケースの外側に樹脂が流出せず、かつモータケースの取り外しを容易に行うことができ、しかも取り外し後のモータケースや仕切板の再利用が可能な、利便性の高い低コストのポンプを提供できるという効果を奏する。
【発明を実施するための最良の形態】
【００１５】
本発明の実施の形態は、モータ部を収納するモータケースと、液体を吸排する羽根車を備えたポンプ部を内蔵するポンプケースと、モータ部とポンプ部を隔離する仕切板と、前記モータ部を保護するためにモータケース内に注入されて硬化した樹脂とから構成され、仕切板とモータケースとを貫通する所定の数のねじ穴に仕切板とモータケースとを接合して固定するねじを配置し、仕切板の接合面およびモータケースの接合面のいずれかに形成され対向する接合面に圧着して接合面を密閉しモータケース内に注入された樹脂の流出を防止する所定の高さと所定の幅をもった環状の凸起を設けるようにしたものである。
【００１６】
これによりモータケースの外側に樹脂が流出せず、かつモータケースの取り外しを容易に行うことができしかも取り外し後のモータケースや仕切板の再使用が可能な、利便性の高い低コストのポンプを提供することができる。
【００１７】
また前記凸起は、ねじ穴から近い所定の範囲においては低い所定の高さに設定され、ねじ穴から遠い所定の範囲においては高い所定の高さに設定されるようにしてもよい。
【００１８】
この場合はねじ穴から遠い所定の範囲において、モータケースまたは仕切板の一部が変形して接合面の隙間が大きくなったとしても、その隙間が大きくなった部分の凸起の高さを予め高く設定することで、凸起を対向する接合面に確実に圧着できるために接合面の密閉を確保することができる。
【００１９】
また前記凸起が設けられていない仕切板の接合面またはモータケースの接合面であって、凸起が圧着するところに凸起の高さより浅い所定の深さと凸起の幅より狭い所定の幅をもった環状の溝を形成するようにしてもよい。
【００２０】
これにより、仕切板の接合面およびモータケースの接合面のいずれかに環状の凸起を設け、凸起が設けられていない側の接合面であって凸起が圧着する部分に環状の溝を形成して凸起の先端部分を溝に嵌めこむことで、接合面を確実に密閉することができるとともに、凸起と溝により接合面を嵌合できるため接合面の形状を簡単にすることができる。
【００２１】
そして上記ポンプを給水装置等の液体供給装置に組み込むようにすれば、液体供給装置の使い勝手を大いに高めることができる。
【実施例】
【００２２】
以下本発明の実施例について図面を用いて説明する。
【００２３】
（実施例１）
図１に示すように、人工大理石やステンレスまたはＦＲＰ（繊維強化プラスチック）等からなる浴槽１があり、その浴槽１の外側には浴槽１内の浴槽水２を吸入して吐出するためのポンプ３と、浴槽水２を加熱するためのガスや電気または灯油等を用いた加熱部４が設置されている。
【００２４】
浴槽１の下部の側面には浴槽水２の流出口５が取りつけられていて、その流出口５には耐熱塩ビ（塩化ビニル）やステンレス等からなる循環往路６が接続されている。
【００２５】
循環往路６の途中にはポンプ３が取りつけられていて、さらに循環往路６は加熱部４に接続されている。
【００２６】
そして加熱部４には同じく耐熱塩ビ（塩化ビニル）やステンレス等からなる循環復路７が接続されていて、その循環復路７は浴槽１の側面であって流出口５の上方に取りつけられた流入口８に接続されている。
【００２７】
図２および図３に示すように、ポンプ３の本体９の左側にはポンプ３の駆動源となるモータ部１０を収納したアルミ等の金属や耐熱性プラスチック等からなるモータケース１１が設置され、右側には浴槽水２の吸入口１２と吐出口１３が設けられ浴槽水２を吸排するポンプ部１４を内蔵したポリフェニレンサルファイド（ＰＰＳ）等のプラスチックやステンレス等の金属からなるポンプケース１５が配置されている。
【００２８】
モータケース１１とポンプケース１５の間には、モータ部１０とポンプ部１４を隔離してポンプ部１４からモータ部１０への浴槽水２の浸入を防止するための同じくＰＰＳ等のプラスチックやステンレス等の金属からなる仕切板１６が取りつけられていて、その仕切板１６は中央部付近がモータケース１１側へ円筒形状に張り出して形成されている。
【００２９】
モータ部１０は、磁界を発生させる円筒形状のステータ１７と、そのステータ１７を制御する制御部１８と、ステータ１７および制御部１８を保護するために注入され硬化した樹脂１９とから構成されていて、ステータ１７はモータケース１１の内側と仕切板１６がモータケース１１側に張り出した部分の間に取りつけられている。
【００３０】
ステータの左側には支持板２０が接続されていて、その支持板２０に例えばトランスやトランジスタ等の電子部品２１および２２を備えた制御部１８が取りつけられている。
【００３１】
モータケース１１の内側には、ステータ１７や制御部１８を保護するために注入されたウレタンやエポキシまたはシリコン系等からなる樹脂１９が所定時間後に硬化した状態にあるが、その樹脂１９はモータケース１１の左側側面の上部に設けられ、開閉自在な蓋２３ａをもつ樹脂注入口２３より注入されている。
【００３２】
ここでモータケース１１と仕切板１６の接合部２４は、モータケース１１が外側に配置されかつ仕切板１６が内側に配置されることで嵌合できる形状に構成されていて、図４および図５に示すように、仕切板１６の接合面２５上の下側寄りすなわちモータケース１１の外側寄りには、環状かつ断面が半円形状の所定の高さと所定の幅を持った凸起２６が形成されている。
【００３３】
モータケース１１と仕切板１６は、モータケース１１と仕切板１６とポンプケース１５を貫通するように設けられた複数のねじ穴２７に挿入されたねじ２８により接合および固定されるが、図５に示すように接合されたときは、仕切板１６の接合面２５上に形成された凸起２６が、モータケース１１の接合面２９の対抗する部分に圧着することで接合部２４が密閉される。
【００３４】
よってモータケース１１内に樹脂１９を注入したときに、その樹脂１９が接合部２４より外部に流出することなく、モータケース１１内で所定時間後に樹脂１９が硬化してステータ１７や制御部１８を保護することができる。
【００３５】
一方ポンプ部１４は、ステータ１７が発生させた磁界により回転駆動され永久磁石等からなる円筒形状のロータ３０と、そのロータ３０と一体に形成され表面に取りつけられた複数の羽根３１により浴槽水２を吸排するＰＰＳ等のプラスチック等からなる同じく円筒形状の羽根車３２と、ロータ３０および羽根車３２を回転自在に支持するステンレス等の金属からなる円柱形状の軸３３と、その軸３３を固定するためのセラミック等からなる中空円板形状の軸受３４とから構成されている。
【００３６】
ロータ３０は仕切板１６がモータケース１１側に張り出した部分であって、仕切板１６を介してステータ１７と対向するように配置されている。
【００３７】
ロータ３０の右側には、ロータ３０と一体に形成され表面に複数の羽根３１を設けた羽根車３２が取りつけられていて、ロータ３０と羽根車３２の中心部にはロータ３０と羽根車３２を回転自在に支持するための軸３３が設置されている。
【００３８】
また軸３３の両側には軸３３を固定するための軸受３４が取りつけられている。
【００３９】
さらにポンプケース１５内は、下部に浴槽水２の吸入口１２が取りつけられた吸入室３５が設けられていて、上部に浴槽水２の吐出口１３が取りつけられた吐出室３６が配置されている。
【００４０】
以上の構成において、本実施例１におけるポンプおよびそのポンプを備えた浴槽水循環装置の動作を図１から図３を用いて説明する。
【００４１】
ポンプ３において制御部１８により制御されたステータ１７が磁界を発生させると、その磁界によりロータ３０が回転駆動される。
【００４２】
ロータ３０が回転駆動されると、ロータ３０と一体に形成された羽根車３２が同じく回転駆動されることでポンプ３が駆動される。
【００４３】
ポンプ３が駆動されると、浴槽水２は浴槽１の下部側面に取りつけられた流出口５より循環往路６に流入し、循環往路６を流れてポンプ３の下部側面に設置された吸入口１２よりポンプ３内の吸入室３５に吸入される。
【００４４】
吸入室３５に吸入された浴槽水２は、回転する羽根車３２の表面に形成された複数の羽根３１により吐出室３６に圧送され、ポンプ３の上部に配置された吐出口１３よりポンプ３外へ吐出される。
【００４５】
吐出された浴槽水２は、吐出口１３に接続された循環往路６を通って、ガスや電気または灯油等を用いた加熱部４に導入され所定の温度まで加熱された後、その加熱部４に接続された循環復路７を流れて、浴槽１の側面の流出口５の上側に取りつけられた流入口８より浴槽１内へ流入する。
【００４６】
このように浴槽水２をポンプ３を用いることにより循環し、加熱部４において所定の温度まで加熱することで、浴槽１内の浴槽水２を所定の温度まで加熱し、かつ加熱後も浴槽水２の循環を継続することで浴槽水２の温度を常時所定温度に保つことが可能になる。
【００４７】
以上のように本実施例１によれば、モータケース１１と仕切板１６の接合部２４において、仕切板の接合面２５上に所定の高さと所定の幅を持ち断面が半円形状の凸起２６を環状に形成して、モータケース１１と仕切板１６を接合したときに、凸起２６をモータケース１１の接合面２９の対向する部分に圧着させることで、接合部２４を密閉することができる。
【００４８】
よってモータケース１１内に収納されたステータ１７や制御部１８を保護するために、そのモータケース１１内に注入された樹脂１９が接合部２４から流出して外観を悪化させることがなく、また例えばモータ部１０の修理を行うときは、モータケース１１を容易に取り外すことができ、かつ取り外したモータケース１１や仕切板１６をそのまま再度使用することができることから、利便性の高い低コストのポンプを提供することができる。
【００４９】
（実施例２）
図１に示すように、人工大理石やステンレスまたはＦＲＰ（繊維強化プラスチック）等からなる浴槽１があり、その浴槽１の外側には浴槽１内の浴槽水２を吸入して吐出するためのポンプ３と、浴槽水２を加熱するためのガスや電気または灯油等を用いた加熱部４が設置されている。
【００５０】
浴槽１の下部の側面には浴槽水２の流出口５が取りつけられていて、その流出口５には耐熱塩ビ（塩化ビニル）やステンレス等からなる循環往路６が接続されている。
【００５１】
循環往路６の途中にはポンプ３が取りつけられていて、さらに循環往路６は加熱部４に接続されている。
【００５２】
そして加熱部４には同じく耐熱塩ビ（塩化ビニル）やステンレス等からなる循環復路７が接続されていて、その循環復路７は浴槽１の側面であって流出口５の上方に取りつけられた流入口８に接続されている。
【００５３】
図２および図３に示すように、ポンプ３の本体９の左側にはポンプ３の駆動源となるモータ部１０を収納したアルミ等の金属からなるモータケース１１が設置され、右側には浴槽水２の吸入口１２と吐出口１３が設けられ浴槽水２を吸排するポンプ部１４を内蔵したポリフェニレンサルファイド（ＰＰＳ）等のプラスチックやステンレス等の金属からなるポンプケース１５が配置されている。
【００５４】
モータケース１１とポンプケース１５の間には、モータ部１０とポンプ部１４を隔離してポンプ部１４からモータ部１０への浴槽水２の浸入を防止するためのＰＰＳ等のプラスチックからなる仕切板１６が取りつけられていて、その仕切板１６は中央部付近がモータケース１１側へ円筒形状に張り出して形成されている。
【００５５】
モータ部１０は、磁界を発生させる円筒形状のステータ１７と、そのステータ１７を制御する制御部１８と、ステータ１７および制御部１８を保護するために注入され硬化した樹脂１９とから構成されていて、ステータ１７はモータケース１１の内側と仕切板１６がモータケース１１側に張り出した部分の間に取りつけられている。
【００５６】
ステータの左側には支持板２０が接続されていて、その支持板２０に例えばトランスやトランジスタ等の電子部品２１および２２を備えた制御部１８が取りつけられている。
【００５７】
モータケース１１の内側には、ステータ１７や制御部１８を保護するために注入されたウレタンやエポキシまたはシリコン系等からなる樹脂１９が所定時間後に硬化した状態にあるが、その樹脂１９はモータケース１１の左側側面の上部に設けられ、開閉自在な蓋２３ａをもつ樹脂注入口２３より注入されている。
【００５８】
ここでモータケース１１と仕切板１６の接合部２４は、モータケース１１が外側に配置されかつ仕切板１６が内側に配置されることで嵌合できる形状に構成されていて、図４および図５に示すように、仕切板１６の接合面２５上の下側寄りすなわちモータケース１１の外側寄りには、環状かつ断面が半円形状の所定の高さと所定の幅を持った凸起２６が形成されている。
【００５９】
また図６に示すように、凸起２６はねじ穴２７から近い所定の範囲では高さが低く設定されていて、ねじ穴２７の間の所定の範囲では逆に高さが高くなるように設定されており、さらに凸起２６の高さが低いところと高さが高いところの間は、その凸起２６の高さの差を連続的に結ぶように形成されている。
【００６０】
モータケース１１と仕切板１６は、モータケース１１と仕切板１６とポンプケース１５を貫通するように設けられた複数のねじ穴２７に挿入されたねじ２８により接合および固定される。
【００６１】
このとき図７に示すようにアルミ等の金属でからなるモータケース１１は変形しないが、ＰＰＳ等のプラスチックからなる仕切板１６はねじ穴２７の間の部分がねじ２８により固定されていないために下方に変形しており、その変形の度合はねじ穴２７の間の所定の範囲が最も大きくなっている。
【００６２】
しかしながら図６に示すように、仕切板１６の接合面２５上に形成された凸起２６は、ねじ穴２７から近い所定の範囲では高さが低くなるように設定されていて、ねじ穴２７の間の所定の範囲すなわちねじ穴２７から遠い所定の範囲では、逆に高さが高くなるように設定されているために、図７に示すように凸起２６がモータケース１１の接合面２９のいずれの部分にも圧着するので、接合部２４は常時しかも確実に密閉されている。
【００６３】
なお図６および図７においては、ポンプケース１５は省略して示している。
【００６４】
よって、モータケース１１内に注入された樹脂１９が接合部２４より外部に流出することなく、モータケース１１内で樹脂１９を硬化させステータ１７や制御部１８を保護することができる。
【００６５】
一方ポンプ部１４は、ステータ１７が発生させた磁界により回転駆動され永久磁石等からなる円筒形状のロータ３０と、そのロータ３０と一体に形成され表面に取りつけられた複数の羽根３１により浴槽水２を吸排するＰＰＳ等のプラスチック等からなる同じく円筒形状の羽根車３２と、ロータ３０および羽根車３２を回転自在に支持するステンレス等の金属からなる円柱形状の軸３３と、その軸３３を固定するためのセラミック等からなる中空円板形状の軸受３４とから構成されている。
【００６６】
ロータ３０は仕切板１６がモータケース１１側に張り出した部分であって、仕切板１６を介してステータ１７と対向するように配置されている。
【００６７】
ロータ３０の右側には、ロータ３０と一体に形成され表面に複数の羽根３１を設けた羽根車３２が取りつけられていて、ロータ３０と羽根車３２の中心部にはロータ３０と羽根車３２を回転自在に支持するための軸３３が設置されている。
【００６８】
また軸３３の両側には軸３３を固定するための軸受３４が取りつけられている。
【００６９】
さらにポンプケース１５内は、下部に浴槽水２の吸入口１２が取りつけられた吸入室３５が設けられていて、上部に浴槽水２の吐出口１３が取りつけられた吐出室３６が配置されている。
【００７０】
以上の構成において、本実施例２におけるポンプおよびそのポンプを備えた浴槽水循環装置の動作を図１から図３を用いて説明する。
【００７１】
ポンプ３において制御部１８により制御されたステータ１７が磁界を発生させると、その磁界によりロータ３０が回転駆動される。
【００７２】
ロータ３０が回転駆動されると、ロータ３０と一体に形成された羽根車３２が同じく回転駆動されることでポンプ３が駆動される。
【００７３】
ポンプ３が駆動されると、浴槽水２は浴槽１の下部側面に取りつけられた流出口５より循環往路６に流入し、循環往路６を流れてポンプ３の下部側面に設置された吸入口１２よりポンプ３内の吸入室３５に吸入される。
【００７４】
吸入室３５に吸入された浴槽水２は、回転する羽根車３２の表面に形成された複数の羽根３１により吐出室３６に圧送され、ポンプ３の上部に配置された吐出口１３よりポンプ３外へ吐出される。
【００７５】
吐出された浴槽水２は、吐出口１３に接続された循環往路６を通って、ガスや電気または灯油等を用いた加熱部４に導入され所定の温度まで加熱された後、その加熱部４に接続された循環復路７を流れて、浴槽１の側面の流出口５の上側に取りつけられた流入口８より浴槽１内へ流入する。
【００７６】
このように浴槽水２をポンプ３を用いることにより循環し、加熱部４において所定の温度まで加熱することで、浴槽１内の浴槽水２を所定の温度まで加熱し、かつ加熱後も浴槽水２の循環を継続することで浴槽水２の温度を常時所定温度に保つことが可能になる。
【００７７】
以上のように本実施例２によれば、仕切板１６におけるねじ穴２７の間すなわちねじ穴２７から遠い所定の範囲がねじ２８により固定されていないために変形して、その変形した部分の仕切板１６の接合面２５と対向するモータケース１１の接合面２９の隙間が大きくなったとしても、仕切板１６の接合面２５上に形成された凸起２６の高さをねじ穴２７の間の所定の範囲で高く設定することで、凸起２６が対向するモータケース１１の接合面２９に確実に圧着するので、接合部２４を常時しかも確実に密閉することができる。
【００７８】
よってモータケース１１内に収納されたステータ１７や制御部１８を保護するために、そのモータケース１１内に注入された樹脂１９が接合部２４から流出して外観を悪化させることがなく、また例えばモータ部１０の修理を行うときは、モータケース１１を容易に取り外すことができ、かつ取り外したモータケース１１や仕切板１６をそのまま再度使用することができることから、利便性の高い低コストのポンプを提供することができる。
【００７９】
（実施例３）
図１に示すように、人工大理石やステンレスまたはＦＲＰ（繊維強化プラスチック）等からなる浴槽１があり、その浴槽１の外側には浴槽１内の浴槽水２を吸入して吐出するためのポンプ３と、浴槽水２を加熱するためのガスや電気または灯油等を用いた加熱部４が設置されている。
【００８０】
浴槽１の下部の側面には浴槽水２の流出口５が取りつけられていて、その流出口５には耐熱塩ビ（塩化ビニル）やステンレス等からなる循環往路６が接続されている。
【００８１】
循環往路６の途中にはポンプ３が取りつけられていて、さらに循環往路６は加熱部４に接続されている。
【００８２】
そして加熱部４には同じく耐熱塩ビ（塩化ビニル）やステンレス等からなる循環復路７が接続されていて、その循環復路７は浴槽１の側面であって流出口５の上方に取りつけられた流入口８に接続されている。
【００８３】
図８および図９に示すように、ポンプ３の本体９の左側にはポンプ３の駆動源となるモータ部１０を収納したアルミ等の金属からなるモータケース１１が設置され、右側には浴槽水２の吸入口１２と吐出口１３が設けられ浴槽水２を吸排するポンプ部１４を内蔵したポリフェニレンサルファイド（ＰＰＳ）等のプラスチックやステンレス等の金属からなるポンプケース１５が配置されている。
【００８４】
モータケース１１とポンプケース１５の間には、モータ部１０とポンプ部１４を隔離してポンプ部１４からモータ部１０への浴槽水２の浸入を防止するための同じくＰＰＳ等のプラスチックからなる仕切板１６が取りつけられていて、その仕切板１６は中央部付近がモータケース１１側へ円筒形状に張り出して形成されている。
【００８５】
モータ部１０は、磁界を発生させる円筒形状のステータ１７と、そのステータ１７を制御する制御部１８と、ステータ１７および制御部１８を保護するために注入され硬化した樹脂１９とから構成されていて、ステータ１７はモータケース１１の内側と仕切板１６がモータケース１１側に張り出した部分の間に取りつけられている。
【００８６】
ステータの左側には支持板２０が接続されていて、その支持板２０に例えばトランスやトランジスタ等の電子部品２１および２２を備えた制御部１８が取りつけられている。
【００８７】
モータケース１１の内側には、ステータ１７や制御部１８を保護するために注入されたウレタンやエポキシまたはシリコン系等からなる樹脂１９が所定時間後に硬化した状態にあるが、その樹脂１９はモータケース１１の左側側面の上部に設けられ、開閉自在な蓋２３ａをもつ樹脂注入口２３より注入されている。
【００８８】
ここでモータケース１１と仕切板１６の接合部２４においては、図９から図１２に示すように仕切板１６の接合面２５上には環状かつ断面が半円形状の所定の高さと所定の幅を持った凸起２６が形成されている。
【００８９】
一方モータケース１１の接合面２９上であって凸起２６に対向するところには、環状かつ断面が半円形状の溝３７が設けられていて、その溝３７の深さおよび幅は凸起２６の高さおよび幅よりも、それぞれ浅くかつ狭くなるように設定されている。
【００９０】
そして、仕切板１６の接合面２５およびモータケース１１の接合面２９のいずれも、それぞれ凸起２６または溝３７が設けられている以外は平面状に形成されている。
【００９１】
また図１３に示すように、凸起２６はねじ穴２７から近い所定の範囲では高さが低く設定されていて、ねじ穴２７の間すなわちねじ穴２７から遠い所定の範囲では逆に高さが高くなるように設定されており、さらに凸起２６の高さが低いところと高さが高いところの間は、その凸起２６の高さの差を連続的に結ぶように形成されている。
【００９２】
モータケース１１と仕切板１６は、モータケース１１と仕切板１６とポンプケース１５を貫通するように設けられた複数のねじ穴２７に挿入されたねじ２８により接合および固定される。
【００９３】
このとき凸起２６の先端部３８が対向する溝３７に嵌まり込むことで、モータケース１１と仕切板１６を嵌合することができる。
【００９４】
図１４に示すようにアルミ等の金属でからなるモータケース１１は変形しないが、ＰＰＳ等のプラスチックからなる仕切板１６はねじ穴２７の間の部分がねじ２８により固定されていないために下方に変形しており、その変形の度合はねじ穴２７の間の所定の範囲が最も大きくなっている。
【００９５】
しかしながら仕切板１６の接合面２５上に形成された凸起２６は、ねじ穴２７から近い所定の範囲では高さが低くなっていて、ねじ穴２７の間すなわちねじ穴２７から遠い所定の範囲では逆に高さが高くなるように設定されているために、図１４に示すように凸起２６が溝３７のいずれの部分にも圧着している。
【００９６】
さらに図１２に示すように、凸起２６の高さと幅より溝３７の深さと幅の方が浅くかつ狭くなるように設定されており、凸起２６の先端部３８のみが溝３７に嵌まり込むため、凸起２６と溝３７の間には隙間が生じることがなく、接合部２４は常時しかも確実に密閉されている。
【００９７】
なお図１３および図１４においては、実施例２同様ポンプケース１５は省略して示している。
【００９８】
よって、モータケース１１内に注入された樹脂１９が接合部２４より外部に流出することなく、モータケース１１内で樹脂１９を硬化させステータ１７や制御部１８を保護することができる。
【００９９】
一方ポンプ部１４は、ステータ１７が発生させた磁界により回転駆動され永久磁石等からなる円筒形状のロータ３０と、そのロータ３０と一体に形成され表面に取りつけられた複数の羽根３１により浴槽水２を吸排するＰＰＳ等のプラスチック等からなる同じく円筒形状の羽根車３２と、ロータ３０および羽根車３２を回転自在に支持するステンレス等の金属からなる円柱形状の軸３３と、その軸３３を固定するためのセラミック等からなる中空円板形状の軸受３４とから構成されている。
【０１００】
ロータ３０は仕切板１６がモータケース１１側に張り出した部分であって、仕切板１６を介してステータ１７と対向するように配置されている。
【０１０１】
ロータ３０の右側には、ロータ３０と一体に形成され表面に複数の羽根３１を設けた羽根車３２が取りつけられていて、ロータ３０と羽根車３２の中心部にはロータ３０と羽根車３２を回転自在に支持するための軸３３が設置されている。
【０１０２】
また軸３３の両側には軸３３を固定するための軸受３４が取りつけられている。
【０１０３】
さらにポンプケース１５内は、下部に浴槽水２の吸入口１２が取りつけられた吸入室３５が設けられていて、上部に浴槽水２の吐出口１３が取りつけられた吐出室３６が配置されている。
【０１０４】
以上の構成において、本実施例３におけるポンプおよびそのポンプを備えた浴槽水循環装置の動作を図１、図８および図９を用いて説明する。
【０１０５】
ポンプ３において制御部１８により制御されたステータ１７が磁界を発生させると、その磁界によりロータ３０が回転駆動される。
【０１０６】
ロータ３０が回転駆動されると、ロータ３０と一体に形成された羽根車３２が同じく回転駆動されることでポンプ３が駆動される。
【０１０７】
ポンプ３が駆動されると、浴槽水２は浴槽１の下部側面に取りつけられた流出口５より循環往路６に流入し、循環往路６を流れてポンプ３の下部側面に設置された吸入口１２よりポンプ３内の吸入室３５に吸入される。
【０１０８】
吸入室３５に吸入された浴槽水２は、回転する羽根車３２の表面に形成された複数の羽根３１により吐出室３６に圧送され、ポンプ３の上部に配置された吐出口１３よりポンプ３外へ吐出される。
【０１０９】
吐出された浴槽水２は、吐出口１３に接続された循環往路６を通って、ガスや電気または灯油等を用いた加熱部４に導入され所定の温度まで加熱された後、その加熱部４に接続された循環復路７を流れて、浴槽１の側面の流出口５の上側に取りつけられた流入口８より浴槽１内へ流入する。
【０１１０】
このように浴槽水２をポンプ３を用いることにより循環し、加熱部４において所定の温度まで加熱することで、浴槽１内の浴槽水２を所定の温度まで加熱し、かつ加熱後も浴槽水２の循環を継続することで浴槽水２の温度を常時所定温度に保つことが可能になる。
【０１１１】
以上のように本実施例３によれば、仕切板１６の接合面２５状に設けた凸起２６をモータケース１１の接合面２９上に形成された溝３７に嵌めこむことで、仕切板１６とモータケース１１を嵌合することができるので、仕切板１６の接合面２５とモータケース１１の接合面２９の形状を平面とすることができる。
【０１１２】
また、凸起２６の高さと幅よりも溝３７の深さと幅を浅くかつ狭く設定することにより、凸起２６の先端部分のみを溝３７に嵌め込むことができるので、凸起２６と溝３７間に隙間ができず接合部２４を密閉することができる。
【０１１３】
さらに仕切板１６におけるねじ穴２７の間、すなわちねじ穴２７から遠い部分がねじ２８により固定されていないために変形して、その変形した部分の仕切板１６の接合面２５と対向するモータケース１１の接合面２９の隙間が大きくなったとしても、仕切板１６の接合面２５上に形成された凸起２６の高さをねじ穴２７の間の所定の範囲で高く設定することで、凸起２６を対向するモータケース１１の接合面２９に確実に圧着することができ、接合部２４を常時しかも確実に密閉することができる。
【０１１４】
よってモータケース１１内に収納されたステータ１７や制御部１８を保護するために、そのモータケース１１内に注入された樹脂１９が接合部２４から流出して外観を悪化させることがなく、また例えば修理のときにおいてはモータケース１１を容易に取り外すことができ、かつ取り外したモータケース１１や仕切板１６をそのまま再度使用することができる。
【０１１５】
そして、モータケース１１の接合面２９と仕切板１６の接合面２５の形状を簡単にすることができるので、利便性の高い低コストのポンプを提供することができる。
【０１１６】
なお以上の実施例において、凸起２６の高さは０．１ｍｍから０．３ｍｍ程度、好ましくは０．１５ｍｍから０．２ｍｍ程度であることが望ましい。
【０１１７】
凸起２６の幅は０．２ｍｍから０．５ｍｍ程度、好ましくは０．３ｍｍから０．４ｍｍ程度であることが望ましい。
【０１１８】
また実施例２および実施例３において、凸起２６の高さが最も低いところでは０．１ｍｍから０．３ｍｍ程度、好ましくは０．１５ｍｍから０．２ｍｍ程度であることが望ましく、凸起２６の高さが最も高いところでは０．２ｍｍから０．５ｍｍ程度、好ましくは０．３ｍｍから０．４ｍｍ程度であることが望ましい。
【０１１９】
凸起２６の断面の形状は、いずれの実施例の場合も半円形状としたが、例えばＶ字形状や四角形状さらには半楕円形状等、凸起２６を対向するモータケース１１の接合面２９に圧着できればどのような形状でも良い。
【０１２０】
実施例１において凸起２６は仕切板１６の接合面２５上に設けたが、その凸起２６をモータケース１１の接合面２９上に形成するようにしても良い。
【０１２１】
また凸起２６は仕切板１６の接合面２５上の外側寄りに設けているが、内側寄りに配置ても良く、凸起２６をモータケース１１の接合面２９上に形成するときも同様に内側寄りに設けても良い。
【０１２２】
実施例２および実施例３において、凸起２６はプラスチックからなる仕切板１６の接合面上に設けているが、例えばモータケース１１がプラスチックから構成されている場合は、凸起２６をモータケース１１の接合面２９上に設けても良い。
【０１２３】
この場合実施例３において、溝３７は凸起２６が形成されていない側の接合面、例えば仕切板１６の接合面２５上に配置すれば良い。
【０１２４】
そして本実施例においては、液体供給装置の一実施例として浴槽水循環装置を示しているが、例えば井戸ポンプ装置や給湯装置または排水供給装置等、どのような液体供給装置であっても良い。
【産業上の利用可能性】
【０１２５】
本発明のポンプは、例えば燃料電池装置やヒートポンプ装置等に使用される様々なポンプへの応用が期待できる。
【図面の簡単な説明】
【０１２６】
【図１】実施例１、２および３に示す浴槽水の循環装置の全体概要図
【図２】実施例１および２に示すポンプの断面図
【図３】実施例１および２に示すポンプの簡易分解斜視図
【図４】実施例１および２に示すモータケースと仕切板の接合前の断面図
【図５】実施例１および２に示すモータケースと仕切板の接合後の断面図
【図６】実施例２に示すモータケースと仕切板の接合前の展開断面図
【図７】実施例２に示すモータケースと仕切板の接合後の展開断面図
【図８】実施例３に示すポンプの断面図
【図９】実施例３に示すポンプの簡易分解斜視図
【図１０】実施例３に示すモータケースと仕切板の分解斜視図
【図１１】実施例３に示すモータケースと仕切板の接合前の断面図
【図１２】実施例３に示すモータケースと仕切板の接合後の断面図
【図１３】実施例３に示すモータケースと仕切板の接合前の展開断面図
【図１４】実施例３に示すモータケースと仕切板の接合後の展開断面図
【符号の説明】
【０１２７】
１    浴槽
２    浴槽水
３    ポンプ
４    加熱部
９    本体
１０    モータ部
１１    モータケース
１４    ポンプ部
１５    ポンプケース
１６    仕切板
１９    樹脂
２４    接合部
２５    仕切板の接合面
２６    凸起
２７    ねじ穴
２８    ねじ
２９    モータケースの接合面
３７    溝
【図１】
2006191723.tif 000003
【図２】
2006191723.tif 000004
【図３】
2006191723.tif 000005
【図４】
2006191723.tif 000006
【図５】
2006191723.tif 000007
【図６】
2006191723.tif 000008
【図７】
2006191723.tif 000009
【図８】
2006191723.tif 000010
【図９】
2006191723.tif 000011
【図１０】
2006191723.tif 000012
【図１１】
2006191723.tif 000013
【図１２】
2006191723.tif 000014
【図１３】
2006191723.tif 000015
【図１４】
2006191723.tif 000016